(57)【要約】【課題】  天井裏等狭い空間でも容易く遮熱施工できる超薄型遮熱材を提供するものである。【解決手段】  化学繊維シートの片面或いは両面に、アルミホイル等輻射熱に対して高反射率の素材を設けた超薄型遮熱材である。【選択図】図１
2013238098.tif 000002
【特許請求の範囲】
【請求項１】
ポリエステルやガラス等化学繊維シートの片面或いは両面に、アルミホイル等輻射熱に対して高反射率の素材を設けた超薄型遮熱材。
【請求項２】
ゴムや樹脂製シートの片面或いは両面に、アルミホイル等輻射熱に対して高反射率の素材を設けた超薄型遮熱材。
【請求項３】
ポリエステルやガラス等化学繊維シート或いはゴムや樹脂製シート等とアルミホイル等輻射熱に対して高反射率の素材とは、ポリエチレンにより熱溶着され、全体の厚みが０．５ミリ以下である請求項１及び請求項２の超薄型遮熱材。
【発明の詳細な説明】
【技術分野】
【０００１】  本発明は、既築の建物の天井裏や床下等狭い所でも簡単に施工できる遮熱材を提供するものである。
【背景技術】
【０００２】  アメリカの多くの機関の報告として、建物を通過する熱量の約７０パーセントは輻射熱とされている。そして建物の各部位からの輻射熱の割合を見ると、屋根から室内に侵入する熱では９３パーセント、床下から室内に向かう熱では５０〜７０パーセント、壁方向では６５〜８０パーセントとされている。即ち、省エネルギーにはこの輻射熱をカットすることが非常に有効であることが解かる。【０００３】  又、この輻射熱をカットする方法として、アルミホイル等輻射熱に対して高反射率の素材が有効であることも知られている。【０００４】  近年、断熱材に変わり或いは断熱材と併用して遮熱材が使われる新築建物が増えてきた。これらの建物に使われている遮熱材は、ポリエチレン製エアーキャップの両側にアルミニウム箔を取り付けたもので、その厚みは４〜８ミリ位のものが主流である。【０００５】  遮熱が主目的ではないが、熱可塑性樹脂製シート基材の表面に、光沢金属材料が所定の厚さで蒸着されている遮熱透湿防水シートが屋根や壁に使われている。
【先行技術文献】
【特許文献】
【０００６】
【特許文献１】特許出願２００３−２９５３９１
【特許文献２】特許出願２００８−２０７５７６
【発明の概要】
【発明が解決しようとしている課題】
【０００７】  その為次のような問題があった。
新築の建物は躯体から順次組み立てて行くので、作業上遮熱材の厚みはそれほど問題にはならない。しかし、既築建物の天井裏や床下等狭いところへ持ち込んで施工するには遮熱材の厚みが重要なファクターとなる。
例えば、既築建物の天井裏に遮熱施工するには、天井に取りつけられてあるメンテナンス用の点検口から材料を丸めて持ち込まなければならない。しかし、メンテナンス用の点検口は凡そ４５センチ角位の大きさで、ここから厚い遮熱材を搬入するには短い寸法に切断する必要がある。
仮に持ち込めたとしても、天井裏にはエアコンや各種電気配線等が多く、それら設備等の形状に合わせて施工するには厚い遮熱材では困難である。
まして、天井と屋根材との間隔が５０センチ以下の所では天井裏に作業者が入り込めない為、作業者はメンテナンス用の点検口から天井裏に顔をのぞかせ、突き棒等で遮熱材を奥に押し込んで敷きこんでいる。こういった作業には、厚く嵩のある材料では殆ど不可能である。
【０００８】  熱可塑性樹脂製シート基材の表面に、光沢金属材料が所定の厚さで蒸着した遮熱透湿防水シートは薄くて使い易いが、通気性がある為シート両面間の熱の出入りが発生、大幅な省エネルギー効果を生み出すのは困難である。又、これらの素材は蒸着品であるため輻射熱に対する反射率が低く、満足する熱還流抵抗を引き出すことは難しい。
本発明は、これらの問題を解決する為になされたものである。
【課題を解決するための手段】
【０００９】  ポリエステルやガラス等化学繊維シートの片面或いは両面に、アルミホイル等輻射熱に対して高反射率の素材を設けた超薄型遮熱材である。
【００１０】  ゴムや樹脂製シートの片面或いは両面に、アルミホイル等輻射熱に対して高反射率の素材を設けた超薄型遮熱材である。
【００１１】  ポリエステルやガラス等化学繊維シート或いはゴムや樹脂製シート等と、アルミホイル等輻射熱に対して高反射率の素材とは、ポリエチレンにより熱溶着され全体の厚みが０．５ミリ以下の超薄型遮熱材である。
【図面の簡単な説明】
【００１２】
【図１】化学繊維シートを基材とした極薄型遮熱材断面図
【図２】ゴムや樹脂製シートを基材とした極薄型遮熱材断面図
【発明を実施するための形態】
【００１３】  以下本発明を実施するための最良の形態について説明する。
本発明は、ゴム、ガラス、炭素或いはポリエステル等化学繊維シート３の片面或いは両面に、アルミホイル等輻射熱に対して高反射率の素材１を設けたものである。又、化学繊維シート３とアルミホイル等輻射熱に対して高反射率の素材１とは、ポリエチレン２により熱溶着してある。
【００１４】  ゴム、ガラス、炭素或いはポリエチレン等化学繊維シート３の代わりにゴムや樹脂製シート４を基材とし、その外側にアルミホイル等輻射熱に対して高反射率の素材１を設けたものもある。これも前記同様、ポリエチレン２により熱溶着されている。
【００１５】  基材に使用する化学繊維シート３は、繊維を不織布又は織物にして使用するが、何れの場合も全体の厚みは０．２ミリ程度にしてある。
【００１６】  ゴムや樹脂製シート４を基材とする場合も、その厚みは０，２〜０，３ミリ程度である。
【００１７】  アルミホイル等輻射熱に対して高反射率の素材１は、反射率が９５パーセント以上のものを使用し、その厚みは概ね７〜５０ミクロン程度である。
【００１８】  ゴム、ガラス、炭素或いはポリエチレン等化学繊維シート３或いはゴムや樹脂製シート４等と、アルミホイル等輻射熱に対して高反射率の素材１とは、間にポリエチレン２により熱溶着されている。
【００１９】  断熱性を重視したものでは基材となるシートの厚みを増したり、或いは剛性を高める為アルミホイル等輻射熱に対して高反射率の素材１の厚みを増す事はあるが、全体の厚みは最大でも０．５ミリ以下である。
【発明の効果】
【００２０】  本発明の遮熱材０．２ミリの製品は、直径８センチメートルの紙管に長さ５０メートル分を巻き付けても直径は僅か１５センチ程度である。これに対し、一般に使用している８ミリの遮熱材では同じ紙菅に巻きつけても直径７５センチ程度と大きくなる。これを断面積比で見れば、８ミリ遮熱材は本発明品の２５倍近くになることが解かる。この結果、従来は施工出来なかった天井と屋根材とのスペースが５０センチメートル以下の狭い所でも、遮熱材を丸めて天井裏に持ち込み、突き棒等で少しずつ伸ばしていく事により確実に施工可能となった。
【００２１】  勿論、体積が大幅に減少したため、輸送コストも大幅に削減可能となった。
【００２２】  ポリエチレン製エアーキャップを使用している８ミリの遮熱材は、熱貫流抵抗が２．４〜２．６ｍ２・Ｋ／Ｗ程度なのに対し、本発明の遮熱材は僅か０，２ミリ厚のものでも３，６ｍ２・Ｋ／Ｗと非常に高い性能を得ることが出来た。
【符号の説明】
【００２３】    １  アルミホイル等輻射熱に対して高反射率の素材
２  ポリエチレン
３  化学繊維シート
４  樹脂製シート
【図１】
2013238098.tif 000003
【図２】
2013238098.tif 000004